(57)【要約】【課題】長波時刻標準電波の周波数変換送出装置を提供する。【解決手段】本発明による長波時刻標準電波の周波数変換送出装置は、一方の長波時刻標準電波（４０ｋＨｚ）を受信する受信アンテナ１０と、前記受信アンテナ１０の出力を増幅する受信用増幅器１１と、前記増幅器１１の出力を他の長波時刻標準電波（６０ｋＨｚ）に変換する変換器１２と、前記変換器１２の出力を送信する送信用増幅器１３と、および前記送信用増幅器１３の出力を特定の空間Ｓに送出する送出手段１４を含んでいる。【選択図】図１
2005201757.tif 000002
【特許請求の範囲】
【請求項１】
一方の長波時刻標準電波を受信する受信アンテナと、
前記受信アンテナの受信出力を増幅する受信用増幅器と、
前記増幅器の出力を他方の長波時刻標準電波に変換する変換器と、
前記変換器の出力を送信する送信器と、
および
前記送信器の出力を特定の空間に送出する送出手段と、
から構成した長波時刻標準電波の周波数変換送出装置。
【請求項２】
一方の長波時刻標準電波を受信する受信アンテナと、
前記受信アンテナの受信出力を増幅する受信用増幅器と、
電子時計と、
前記受信用増幅器の時刻信号をデコードし前記電子時計を動作制御し、前記電子時計の動作に対応する時刻信号を長波時刻標準電波の時刻コードに変換するＣＰＵと、
前記ＣＰＵの時刻コードで長波時刻標準周波数を変調して増幅する送信器と、
前記送信器の出力を特定の空間に送出する送出手段と、
から構成した長波時刻標準電波の周波数変換送出装置。
【請求項３】
請求項１または２記載の周波数変換送出装置において、前記一方または他方の標準電波は４０ｋＨｚまたは６０ｋＨｚである長波時刻標準電波の周波数変換送出装置。
【請求項４】
請求項１または２記載の周波数変換送出装置において、前記送出手段は、前記送信器の出力に接続される送信アンテナまたは対象施設内の交流電源線である長波時刻標準電波の周波数変換送出装置。
【発明の詳細な説明】
【技術分野】
【０００１】
本発明は、長波時刻標準電波の周波数変換送出装置、さらに詳しく言えば一方の長波時刻標準電波を受信し、他方の長波時刻標準電波に変換して一定の対象施設内に放送する長波時刻標準電波の周波数変換送出装置に関する。
【背景技術】
【０００２】
現在日本国では、４０ｋＨｚの長波と６０ｋＨｚの長波を用いた長波標準電波が放送されている。時刻情報の信号は１分間を１サイクルとして、１月１日からの日数から時分までのデータを有して、バイナリコードで直列に送出されている。４０ｋＨｚの長波時刻標準電波は福島県から、６０ｋＨｚの長波時刻標準電波は九州から放送されている。
【０００３】
特許文献１記載の発明は、スーパーヘテロダイン方式の電子周波数選択受信機、特許文献２記載の発明は、前記受信機を利用した電子時計を開示している。いずれの発明も受信周波数を外部スイッチにより選択受信するものである。
特許文献３記載の発明は、自動的に良好な受信状態の長波標準電波を受信することができる装置を開示している。また特許文献４記載の発明は何れの長波標準電波の受信も可能な電波修正時計を開示している。
これらの事情から現存する電波時計は選択によりまたは自動的にいずれかの長波標準電波を受信することができるようになっている。
【特許文献１】特開平  ６−１２５２８０号公報
【特許文献２】特開平  ６−２１４０５４号公報
【特許文献３】特開２００２−２９６３７４号公報
【特許文献４】特開２００２−３１１１６７号公報
【発明の開示】
【発明が解決しようとする課題】
【０００４】
前述のように、現在販売されている日本国内用の電波修正時計は、日本国内においていずれかの長波標準時刻信号を受信可能である。
しかしながら、特定の建築物内の空間等で長波が入りにくい空間（本発明において以下特定の空間と言うことにする。）があり、そのような特定空間内で使用される電波修正時計は、単なる電子時計となってしまう。
本発明の目的は、前記特定の空間内に長波標準電波を送出する長波時刻標準電波の周波数変換送出装置を提供することにある。
【課題を解決するための手段】
【０００５】
前記目的を達成するために、本発明による請求項１記載の長波時刻標準電波の周波数変換送出装置は、
一方の長波時刻標準電波を受信する受信アンテナと、
前記受信アンテナの受信出力を増幅する受信用増幅器と、
前記増幅器の出力を他方の長波時刻標準電波に変換する変換器と、
前記変換器の出力を送信する送信器と、
および
前記送信器の出力を特定の空間に送出する送出手段と、から構成されている。
【０００６】
本発明による請求項２記載の長波時刻標準電波の周波数変換送出装置は、
一方の長波時刻標準電波を受信する受信アンテナと、
前記受信アンテナの受信出力を増幅する受信用増幅器と、
電子時計と、
前記受信用増幅器の時刻信号をデコードし前記電子時計を動作制御し、前記電子時計の動作に対応する時刻信号を長波時刻標準電波の時刻コードに変換するＣＰＵと、
前記ＣＰＵの時刻コードで長波時刻標準周波数を変調して増幅する送信器と、
前記送信器の出力を特定の空間に送出する送出手段と、
から構成されている。
【０００７】
本発明による請求項３記載の長波時刻標準電波の周波数変換送出装置は、
請求項１または２記載の周波数変換送出装置において、前記一方または他方の標準電波は４０ｋＨｚまたは６０ｋＨｚとすることができる。
本発明による請求項４記載の長波時刻標準電波の周波数変換送出装置は、
請求項１または２記載の周波数変換送出装置において、前記送出手段は、前記送信器の出力に接続される送信アンテナまたは対象施設内の交流電源線とすることができる。
【発明の効果】
【０００８】
本発明による長波時刻標準電波の周波数変換送出装置は受信した長波時刻標準電波の周波数を変換して特定の空間に送出するので、前記空間にある電波修正時計の時刻を修正することができる。受信した長波時刻標準電波の周波数を変換して特定の空間に送出するので、特定の空間に送出される電波が受信アンテナに結合することによる不都合を防止することができる。
【発明を実施するための最良の形態】
【０００９】
以下図面等を参照して本発明による装置の実施の形態を説明する。
図１は、本発明による長波時刻標準電波の周波数変換送出装置の第１の実施例を示すブロック図である。
長波の進入し難い特定の施設内の空間に長波時刻標準電波を送出して、その空間にある電波修正時計とか、同様にクロックを内蔵するコンピュータ等の時刻の修正のために当該施設内の空間に長波時刻標準電波を送出すること、地域は４０ｋＨｚの長波時刻標準電波を受信する場合を例とする。
【００１０】
フェライトバーアンテナや長波時刻標準電波受信に適したアンテナを受信アンテナ１０として、前記特定の空間の外に受信方向を福島県の放送施設に指向させて配置する。
前記アンテナ１０の受信出力は受信用増幅器１１により増幅され、変換器１２に入力される。変換器１２には１００ｋＨｚの局部発振出力が接続されており、６０ｋＨｚ搬送周波を時刻信号で振幅変調した出力が得られる。この出力は送信用増幅器１３により増幅されて、送出手段１４に接続される。
【００１１】
特定の空間Ｓに長波時刻標準電波を送出する長波の送信アンテナ１４ａが設けられており、前記空間Ｓ内に６０ｋＨｚの長波時刻標準電波が送出される。
前記送信アンテナ１４ａに代わり他の送出手段として施設内の交流電源線１４ｄに前記送信用増幅器１３の出力を結合手段（容量または誘導結合）１４ｃを介して接続し送出することもできる。
【００１２】
図２は、本発明による長波時刻標準電波の周波数変換送出装置の第２の実施例を示すブロック図である。設置される状態は前の実施例と略同様であるとして説明する。
受信アンテナ１６は、前記特定の空間の外に配置する。
前記アンテナ１６の受信出力は受信用増幅器１７により増幅される。この実施例は長波時刻標準電波の時刻コードで時刻の修正が可能な電子時計（リアルタイムクロック）１９とＣＰＵ１８を含んでいる。電子時計１９はそれ自体基準の水晶振動子１９ａを持っており、自立形の電子時計としても動作可能である。
【００１３】
ＣＰＵ１８は前記受信用増幅器１７の時刻信号をデコーダ１８ａでデコードし前記電子時計１９の動作を制御（時刻の修正）し、前記電子時計１９の動作に対応する時刻信号をエンコーダ１８ｂにより長波時刻標準電波の時刻コードに変換し、送信器２０に送出する。送信器２０は変調器２０ａでその６０ｋＨｚの発振器２０ｂの出力を前記時刻コードで振幅変調し、増幅器２０ｃで増幅し送出手段１４に送出する。送出手段１４の構成は前述の実施例と異ならないから説明を省略する。                
【００１４】
以上説明した実施例について、本発明の範囲内で種々の変形を施すことができる。
４０ｋＨｚの長波時刻標準電波を受信して６０ｋＨｚの長波時刻標準電波に変換する例を示したがその逆も当然可能である。
【産業上の利用可能性】
【００１５】
本発明による装置は長波時刻標準電波の受信が不可能の領域での電波修正時計の利用を可能にするから、電波修正時計の利用の範囲を拡大することができる。
【図面の簡単な説明】
【００１６】
【図１】本発明による長波時刻標準電波の周波数変換送出装置の第１の実施例を示すブロック図である。
【図２】本発明による長波時刻標準電波の周波数変換送出装置の第２の実施例を示すブロック図である。
【符号の説明】
【００１７】
１０，１６  受信アンテナ
１１，１７  受信用増幅器
１２  変換器
１３  送信用増幅器
１４  送出手段
１８  ＣＰＵ
１９  リアルタイムクロック
２０  送信器
【図１】
2005201757.tif 000003
【図２】
2005201757.tif 000004